(57)【要約】  【課題】金融機関、コンビニエンスストア、パチンコ店、宝石店、住宅等を襲う凶悪犯罪に対し、店員や一般人には、刃物等を振り回す犯人に対し対処する良い方法が無く、取押さえるには多くの危険が有る。その結果、多くは犯罪者が目的を達成し、逃亡したのち、警察等の機関による捜査を行うのが通常であり、多くの時間と労力を費やし、又解決出来ない事件も多い。又盗られた金品も戻らない場合が多い。立ち向かう事無く、安全に現行犯逮捕出来ればと思うばかりで、そのあり方に多くの課題が有ります。【解決手段】上記課題を解決する為に、現行犯逮捕を目的とする本自動捕獲装置を提供します。本自動捕獲装置とは、犯罪者が逃亡出来ない様に、犯行時にセンサー検出、又は押ボタン捜査により、自動的にワイヤ−で手や足を縛って捕獲し、逃亡出来なくしたり、逃亡するのに時間がかかる様にし、現行犯逮捕する為の装置である。  【選択図】  図１
2006258366.tif 000002
【特許請求の範囲】
【請求項１】
頑丈で湾曲自在なチューブを外側に配し、弾力性を有し刃物等で容易に切断出来ない鋼鉄制のワイヤーの両端をそろえてチューブの中を通し、高速モーターに直結した戻り防止機工の付いた巻取り装置の軸に固定し、センサー検出又は押ボタン捜査によりワイヤーが巻き取られ、チューブから出ている環状になっているワイヤーが急速にすぼまり、ワイヤーループの中にある手や足を速やかに自動的に縛り犯行者又は鳥獣を捕獲する装置。
【請求項２】
ワイヤーがセットしやすい様に四隅に突起物を設け又四辺にワイヤーが隠せる様に切り込みやひだを設けたマットを使用し、請求項１を使いやすくした自動捕獲装置。
【請求項３】
ワイヤーがセットしやすい様に、またワイヤーが見えない様に、上面の四隅四辺の内側にワイヤーの仮止め具を設けたショウケースを使用し、請求項１を使いやすくした自動捕獲装置。
【請求項４】
請求項１でワイヤーが高速で巻き取られ、ループになったワイヤーがチューブの中に引っ張られる時、チューブの入り口でワイヤーが抵抗無くスムーズに移動出来る様にチューブの入り口にラッパ状の案内具を使用した自動捕獲装置。
【発明の詳細な説明】
【技術分野】
【０００１】
本発明は、犯罪者が逃亡し、その後捜査から逮捕に至るまでにかかる多くの時間と労力、又盗られた金品の損失等をなくす為、犯罪者が犯行を犯している時に現行犯逮捕出来る防犯又は捕獲に関する。
【背景技術】
【０００２】
不況の影響や国際化に伴う外国人の流入等により金融機関、コンビニエンスストア、パチンコ店、宝石店、住宅等を襲う強盗等の凶悪犯罪が多発している。これらの犯罪に対し、店員や一般人には刃物等を振り回す犯人に対し対処するよい方法がなく、木刀を用意しておく事ぐらいしか出来ない。しかも、犯人に対して木刀等で立ち向かっても逆襲されて刺されたり、取り押さえる事が出来ず逃げられてしまったりする。その際、犯人を取り押さえるにはタックルして倒す等、相当接近しなければならない。
【０００３】
しかし、犯人に立ち向かうにしろ、犯人を取り押さえるにしろ犯人に接近するのは危険である。従来の捕獲具には接近しないで立ち向かえる物として長柄付き捕獲具が有る（例えば特許文献１参照）。
【０００４】
又、無人の店内に侵入し、金品を強奪しようとする犯罪者に対しては、マットの上に粘着剤を塗布した防犯マットがある（例えば特許文献２参照）。
【０００５】
又、犯罪者を対称としないが、自動で捕獲する装置として蛇捕獲機が有る（例えば特許文献３参照）。
【特許文献１】特許公開２００１−２９１３９５
【特許文献２】特許公開２００２−１５５２６４
【特許文献３】特許公開平７−３２２８０４
【発明の開示】
【発明が解決しようとする課題】
【０００６】
しかしながら、この長柄付き捕獲具では犯人に接近しないまでも、犯人に立ち向かい、戦い、取押さえねばならず、多くの危険と、犯人を取り逃がす可能性が有る。
【０００７】
又無人の店内においては、粘着剤を塗布した防犯マットでは、警察又は警備員が駆けつける迄に、犯人が逃走してしまう可能性が有る。更に床や周辺にこびりついた粘着剤の回収や清掃には多くの労力が必要で有る。
【０００８】
又蛇捕獲機においては考え方や理論的には似ている所が有るが、目的が違っている。
【０００９】
又犯人が犯行現場から逃走した場合、警察の捜査から逃れようと逃亡している犯人を捜査し追いつめ、逮捕するまでには多くの労力を費やし、又逮捕に至らない場合も多い。
【課題を解決するための手段】
【００１０】
上記課題を解決する為に、窃盗や強盗の犯罪者は必ず現場にて現行犯逮捕する。を目的に発明した物で有る。すなわち本発明は、現場にて自動的にワイヤーで手や足を縛り捕獲する。
【００１１】
本自動捕獲装置は、頑丈で湾曲自在なチューブを外側に配し、弾力性を有し刃もの等で容易に切断出来ない鋼鉄制のワイヤーの両端をそろえてチューブの中を通し、高速モーターに直結した戻り防止機工の付いた巻取り装置の軸に固定し、センサー検出又は押ボタン捜査によりワイヤーが巻き取られ、チューブから出ている環状になっているワイヤーが急速にすぼまりワイヤーループの中に有る手や足を速やかに自動的に縛り犯行者を捕獲し、現行犯逮捕を容易にする。
【００１２】
又ワイヤーがセットしやすいように、四隅に突起物を設け、又四辺にワイヤーが隠せるように切り込みやひだを設けたマットを使用して、捕獲効率を上げ又犯罪者にワイヤーがセットして有る事を悟られない様にして現行犯逮捕を容易にする。
【００１３】
又ワイヤーがセットしやすい様に、又ワイヤーがセットして有る事を犯行者に悟られない様に、上面四隅四辺の内側に、ワイヤーの仮止め具を設けたショウケースを使用し、仮止め具にワイヤーをセットし、現行犯逮捕を容易にする。
【００１４】
又本自動捕獲装置において、ワイヤーが高速で巻き取られ、ループになっているワイヤーがチューブの中に引っ張られる時チューブの入り口でワイヤーが抵抗無くスムーズに移動出来る様にチューブの入り口にラッパ状の案内具を使用する事で、巻取り時安定したワイヤースピードが得られ、速やかに縛る事が出来、現行犯逮捕を容易にする。
【発明を実施するための最良の形態】
【００１５】
以下、添付の図１〜７を参照して、本発明の実施の形態を説明する。図１に於いて、弾力性が有り、ナイフの様な刃ものでは容易に切れない鋼鉄制のワイヤーを用いる。例えば、線径２ｍｍ、長さ６ｍを使い、チューブには頑丈で湾曲自在な、例えば、バイクのハンドブレーキやアクセルのワイヤーを通しているチューブの様な物で、内径５ｍｍ、長さ２ｍを使う。この場合チューブの内径は、ワイヤーが２本通り、更に高速で移動出来る隙間が必要で有る。又チューブの長さは、ワイヤーのループの大きさと関係する為、専用マットや専用ショウケースとセットで使う場合は、予めワイヤーの長さとチューブの長さを算出しておかねばならない。この場合には円周が１ｍのループになる。
【００１６】
ワイヤーの両端をそろえてチューブの中を通し、巻取り装置の軸に両端を固定結合する。巻取り装置の軸が回転すれば２本同時に巻き取られる事になる。
【００１７】
犯行者を検出するセンサー、又は店員や警備員による押ボタン捜査により、高速モーターが回転し、巻取り装置がワイヤーを巻き取り、ワイヤーループがすぼまり犯行者の手や足を縛り、チューブの長さの半径で動く事が出来るが、逃走出来ず、抵抗意欲も無くなり、現行犯逮捕を容易にする。
【００１８】
図２において、マットの四隅四辺に図の様な切り込みが有り、切り込みから２ｃｍぐらいはベース材と接着されておらず上にまくれる様になっている。図４のように四隅は内側が接着されておらず、四辺は図３のように外側が接着されていない。このマットに図１のワイヤーループをセットするのであるが、四隅は外側から切り込みをまくった下側に、四辺は切り込みをまくった下側に内側からワイヤーをセットする。すなわちマットのベース材と表面材との間にワイヤーをセットする。
【００１９】
こうする事により、実行時ワイヤーがすぼまる時、マットの四隅が持ち上げられ、足の中央部、すなわち膝付近を縛る事が出来る。
【００２０】
図５において、ワイヤーが高速で巻き取られた時にチューブとワイヤーの抵抗が大きく、巻き取りスピードが遅くなったり、ワイヤーが破損することが無い様に図の様な案内具を用い、捕獲効率を上げる事が出来る。
【００２１】
又、貴金属店等ショウケースの中の金品を強奪しようとする犯行者に対しては図６の様な、本捕獲装置をセット出来る様にしたショウケース、すなわちチューブが通る穴を明け、又上面四隅四辺の内側に図７の様なワイヤーの仮止め具を設け、又チューブの通り道には同じ様なチューブの仮止め具を設けたショーケースを使用する。犯行者がショーケースの上面ガラスを割り、金品を奪おうと中に入れた手をセンサー検出し、ワイヤーで、中に入れた手を縛って犯行者を捕獲する。
【産業上の利用可能性】
【００２２】
コンビニエンスストアや金融機関等、カウンターやレジカウンターの有する店舗においては、請求項２記載の専用マットを、犯行者が来るで有ろうところ例えばカウンターの足元等にセットする。営業時間内においては、店員や警備員等スタッフが押ボタン捜査で実行する。
【００２３】
又閉店後の無人の店内においては、レジ、金庫、の前に専用マットをセットし、犯行者をセンサー検出して実行する。
【００２４】
又貴金属、宝石店においては請求項３の専用ショーケースをセットし、犯行者がガラスを割り、品物を盗ろうと中に入れた手をセンサー検出し、実行する。
【図面の簡単な説明】
【００２５】
【図１】本体の平面図
【図２】専用マットの平面図
【図３】図２の詳細断面図
【図４】図２の詳細断面図
【図５】部分平面図
【図６】専用ショウケースの正面図
【図７】仮止め具の詳細図
【符号の説明】
【００２６】
１．    ワイヤー
２．    チューブ
３．    巻取り機
４．    高速モーター
５．    押ボタンスイッチ
６．    電源コード
７．    電源プラグ
８．    専用マット
９．    辺部切り込み
１０．  隅部切り込み
１１．  辺部切り込み
１２．  ワイヤー
１３．  表面材
１４．  ベース材
１５．  案内具
１６．  ショーケース
１７．  上面ガラス
１８．  仮止め具
【図１】
2006258366.tif 000003
【図２】
2006258366.tif 000004
【図３】
2006258366.tif 000005
【図４】
2006258366.tif 000006
【図５】
2006258366.tif 000007
【図６】
2006258366.tif 000008
【図７】
2006258366.tif 000009